(57)【要約】【課題】縫着タイプ・非縫着タイプのどちらのタイプとしても適切に使用することができる眼内レンズを提供する。【解決手段】レンズ機能を有するレンズ部２２と、このレンズ部２２を支持する支持部２３とを備える眼内レンズ２１の構成として、支持部２３は、レンズ部２２の外周部から外側に延出する状態で形成されるとともに、レンズ部２２の径方向に弾性変形可能な可撓部２４と当該可撓部２４よりも硬質の材料からなる固定部２５とを有する。固定部２５には、支持部２３を眼球に固定するときに用いる縫合糸の巻き付けを許容し、かつ巻き付けた縫合糸の位置ずれを防止する孔部２６が設けられている。【選択図】図２
2013022273.tif 000002
【特許請求の範囲】
【請求項１】
レンズ機能を有するレンズ部と、このレンズ部を支持する支持部とを備える眼内レンズであって、
前記支持部は、前記レンズ部の外周部から外側に延出する状態で形成されるとともに、前記レンズ部の径方向に弾性変形可能な可撓部と当該可撓部よりも硬質の材料からなる固定部とを有し、
前記固定部には、前記支持部を眼球に固定するときに用いる縫合糸の巻き付けを許容し、かつ巻き付けた縫合糸の位置ずれを防止する係止部が設けられている
ことを特徴とする眼内レンズ。
【請求項２】
前記支持部は、
前記レンズ部の中心から直径１１ｍｍの第１仮想円に対して、前記可撓部を前記レンズ部に近づく方向に弾性変形させて前記支持部の最外部を前記第１仮想円に接するように配置したときに、前記支持部の延出方向において当該支持部の根元に最も近い前記固定部の端部が、前記第１仮想円の直径よりも１．０ｍｍ小さい直径の第２仮想円と前記第１仮想円との間に位置するように構成されている
ことを特徴とする請求項１に記載の眼内レンズ。
【請求項３】
前記係止部は、前記支持部の厚み方向に貫通する状態で前記可撓部と前記固定部との境界に設けられた孔部からなる
ことを特徴とする請求項１または２に記載の眼内レンズ。
【請求項４】
前記係止部は、前記固定部に設けられた溝部からなる
ことを特徴とする請求項１または２に記載の眼内レンズ。
【請求項５】
前記係止部は、前記支持部の延出方向と交差する方向に貫通する状態で前記固定部に設けられた孔部からなる
ことを特徴とする請求項１または２に記載の眼内レンズ。
【請求項６】
前記可撓部は、前記支持部の延出方向において前記係止部よりも当該支持部の根元に近い側で、かつ前記レンズ部に対向する側に、切り欠き部を有する
ことを特徴とする請求項１または２に記載の眼内レンズ。 
【発明の詳細な説明】
【技術分野】
【０００１】
本発明は、水晶体の代替機能として眼内に挿入される眼内レンズに関する。
【背景技術】
【０００２】
近年、高齢者人口の増加に伴って白内障の患者が増えている。白内障は、眼球の内部でレンズ機能を果たす水晶体が白く濁ることで、視力の低下等を招く病気である。白内障患者の視力を回復するために白内障手術が行われている。白内障手術は、白く濁った水晶体を取り除き、そこに人工の眼内レンズを挿入する手術である。
【０００３】
白内障手術で眼内に移植される眼内レンズは、水晶体に替わって光学的なレンズ機能を有するレンズ部（光学部）と、このレンズ部を支持する支持部とによって構成されている。通常、この種の眼内レンズは、水晶体を摘出した後に残る水晶体嚢の内部に収容される。
【０００４】
しかし、例えば、嚢自体が破れてしまっている場合には、支持部によって嚢内に固定できない場合がある。また、嚢が破れていない場合でも、患者によっては、この支持部による支持だけでは十分でなく、術後にレンズ部が動いてしまって光学軸がずれてしまう場合もある。光学軸が予定位置からずれると、予定した矯正効果が得られなくなり、場合によっては、再手術しなければならないことも考えられる。
【０００５】
このようなおそれを防止するために、従来から、レンズを眼内に挿入した後、支持部を縫合糸で強膜等に固定する方法が知られている。そして、この方法に用いる眼内レンズとして、支持部を固定する縫合糸が支持部において位置ずれしないように位置ずれ防止手段を支持部に設けたものが種々提案されている（例えば、特許文献１、特許文献２、特許文献３等参照）。
【０００６】
一方、現在では術後乱視や手術侵襲の軽減を目的として、小切開創から挿入可能な眼内レンズ、すなわち、折り畳み可能なシリコーン樹脂、アクリル樹脂、ハイドロゲルなどの軟性材料のレンズ部をもつ眼内レンズが主流である。また、それらの光学部軟性材料のレンズの中でも、眼内への挿入容易性や支持部とレンズ部の接続箇所の強化を目的とし、支持部とレンズ部を同一材料としたワンピースタイプの眼内レンズが広まりつつある（例えば、特許文献４、特許文献５）。
【先行技術文献】
【特許文献】
【０００７】
【特許文献１】特開２００６−２０９７５号公報
【特許文献２】米国特許第５３３６２６２号明細書
【特許文献３】米国特許第４４０９６９０号明細書
【特許文献４】特開２００８−２２０８６３号公報
【特許文献５】特表平１０−５１３０９９号公報
【発明の概要】
【発明が解決しようとする課題】
【０００８】
しかしながら、これらのレンズ部が軟性材料からなるワンピースタイプの眼内レンズの利点をいかしつつ、かつ上記のような縫合糸の位置ずれ防止手段を支持部に持った眼内レンズは存在しない。仮に特許文献４や特許文献５に記載のレンズ部が軟質材料からなるワンピースタイプの眼内レンズに、特許文献１、２又は３に記載されている位置ずれ防止手段を適用しようとしても、縫合糸の締める力によって縫合糸が支持部にくいこみ、状況によっては支持部が破断してしまう。
【０００９】
本発明の主たる目的は、軟性材料からなるワンピースタイプの眼内レンズの利点を生かし、かつ縫合糸による眼内への縫着が可能な眼内レンズを提供することにある。
【課題を解決するための手段】
【００１０】
本発明の第１の態様は、
レンズ機能を有するレンズ部と、このレンズ部を支持する支持部とを備える眼内レンズであって、
前記支持部は、前記レンズ部の外周部から外側に延出する状態で形成されるとともに、前記レンズ部の径方向に弾性変形可能な可撓部と当該可撓部よりも硬質の材料からなる固定部とを有し、
前記固定部には、前記支持部を眼球に固定するときに用いる縫合糸の巻き付けを許容し、かつ巻き付けた縫合糸の位置ずれを防止する係止部が設けられている
ことを特徴とする眼内レンズである。
【００１１】
本発明の第２の態様は、
前記支持部は、
前記レンズ部の中心から直径１１ｍｍの第１仮想円に対して、前記可撓部を前記レンズ部に近づく方向に弾性変形させて前記支持部の最外部を前記第１仮想円に接するように配置したときに、前記支持部の延出方向において当該支持部の根元に最も近い前記固定部の端部が、前記第１仮想円の直径よりも１．０ｍｍ小さい直径の第２仮想円と前記第１仮想円との間に位置するように構成されている
ことを特徴とする上記第１の態様に記載の眼内レンズである。
【００１２】
本発明の第３の態様は、
前記係止部は、前記支持部の厚み方向に貫通する状態で前記可撓部と前記固定部との境界に設けられた孔部からなる
ことを特徴とする上記第１又は第２の態様に記載の眼内レンズである。
【００１３】
本発明の第４の態様は、
前記係止部は、前記固定部に設けられた溝部からなる
ことを特徴とする上記第１又は第２の態様に記載の眼内レンズである。
【００１４】
本発明の第５の態様は、
前記係止部は、前記支持部の延出方向と交差する方向に貫通する状態で前記固定部に設けられた孔部からなる
ことを特徴とする上記第１又は第２の態様に記載の眼内レンズである。
【００１５】
本発明の第６の態様は、
前記可撓部は、前記支持部の延出方向において前記係止部よりも当該支持部の根元に近い側で、かつ前記レンズ部に対向する側に、切り欠き部を有する
ことを特徴とする上記第１又は第２の態様に記載の眼内レンズである。
【発明の効果】
【００１６】
本発明によれば、軟性材料からなるワンピースタイプの眼内レンズの利点を生かし、かつ縫合糸による眼内への縫着が可能な眼内レンズを提供することができる。
【図面の簡単な説明】
【００１７】
【図１】眼球の平面的な断面構造を説明する図である。
【図２】本発明の第１の実施の形態に係る眼内レンズの構造を示すもので、（Ａ）は平面図、（Ｂ）は側面図である。
【図３】眼内レンズの製造方法を説明する図である。
【図４】本発明の第２の実施の形態に係る眼内レンズの構造を示すもので、（Ａ）は平面図、（Ｂ）は側面図である。
【図５】本発明の第２の実施の形態に係る眼内レンズの変形例を示すもので、（Ａ）は平面図、（Ｂ）は側面図である。
【図６】本発明の第３の実施の形態に係る眼内レンズの構造を示すもので、（Ａ）は平面図、（Ｂ）は側面図である。
【図７】本発明の実施の形態に係る眼内レンズの好適な構成例を説明する図である。
【図８】本発明の第４の実施の形態に係る眼内レンズの構造を示すもので、（Ａ）は平面図、（Ｂ）は側面図である。
【図９】縫合糸の巻き付け方の一例を説明する図である。
【発明を実施するための形態】
【００１８】
以下、本発明の実施の形態について図面を参照しつつ詳細に説明する。
本発明の実施の形態においては、次の順序で説明を行う。
１．眼球の構造
２．第１の実施の形態
３．第２の実施の形態
４．第３の実施の形態
５．第４の実施の形態
６．変形例等
【００１９】
＜１．眼球の構造＞
図１は眼球の平面的な断面構造を説明する図である。図示のように、眼球１は、全体に球状をなし、前方の角膜２の部分を除いて強膜３により被覆保護されている。角膜２周囲の強膜３の表面は結膜４で覆われている。角膜２は、眼球保護機能のほかに、外から入ってくる光を屈折させるレンズ機能を果たす。角膜２の内側（裏側）には、房水で満たされた前房５があり、この前房５に面して虹彩６の中央に瞳孔７がある。
【００２０】
虹彩６は、瞳孔７の大きさ（開口の寸法）を調節することにより、眼球１の内部に入射する光の量を調整する機能を果たす。瞳孔７には水晶体８の前面が臨んでいる。水晶体８は、凸レンズのような形状をなすもので、焦点を調整する機能を果たす。水晶体８は、透明な薄い膜で構成された水晶体嚢に包まれている。水晶体８には、毛様小帯９を介して毛様体１０がつながっている。毛様体１０は、水晶体８の厚さを制御して焦点合わせを行う筋肉組織である。
【００２１】
水晶体８の裏側には硝子体１１がある。硝子体１１は、眼球１の内部の大部分を占めている。硝子体１１は、ゼリー状の無色透明な組織であり、眼球１の形状と弾性を維持している。また、硝子体１１は、水晶体８で屈折された光線を網膜１３まで透過する。網膜１３は、眼球１の内部で最も内側に位置する膜組織である。網膜１３には、瞳孔７を通して眼球１内に入射する光を感じ、その強さ、色、形などを識別する視細胞が存在する。
【００２２】
網膜１３の外側には脈絡膜１４がある。脈絡膜１４は、強膜３の内側（つまり、強膜３と網膜１３の間）に位置する膜組織である。脈絡膜１４は、血管に富んでおり、眼球１の各組織への血流路として、眼球１内に栄養を与える役目も果たす。さらに、眼球１の後側（裏側）には視神経１５がつながっている。視神経１５は、網膜１３が受けた光刺激を脳に伝える神経である。視神経１５がつながる部分には盲点１６が存在する。盲点１６は、中心窩１７から４〜５ｍｍほど離れたところにある。
【００２３】
＜２．第１の実施の形態＞
図２は本発明の第１の実施の形態に係る眼内レンズの構造を示すもので、（Ａ）は平面図、（Ｂ）は側面図である。眼内レンズ２１は、光学的なレンズ機能を有するレンズ部２２と、このレンズ部２２を支持する支持部２３とを備えた構成となっている。レンズ部２２と支持部２３とは一体化された構造になっている。つまり、眼内レンズ２１は、いわゆるワンピースタイプの眼内レンズに相当するものである。
【００２４】
（レンズ部）
レンズ部２２は、平面視円形の凸レンズ形状に形成されている。レンズ部２２の直径は、眼内レンズ２１を眼内の水晶体嚢に挿入するのに適した寸法であれば、どのような寸法に設定してもかまわない。具体的な寸法設定例を記述すると、レンズ部２２の直径Ｄは、好ましくは、５ｍｍ〜７ｍｍの範囲に設定すればよく、より好ましくは６ｍｍに設定すればよい。レンズ部２２の厚みは、所望の屈折率等に合わせて設定すればよい。レンズ部２２は、当該レンズ部２２を折り畳み可能とする軟質材料によって構成されている。ここで記述する「折り畳み可能」という用語は、レンズ部２２を含めて眼内レンズ２１を少なくとも二つ折りにできるという意味で使用している。したがって、レンズ部２２を構成する軟質材料は、レンズ部２２を折り畳める程度の高い柔軟性を有する材料となる。具体的には、例えば、シリコーン樹脂、アクリル系樹脂、ハイドロゲル、ウレタン系樹脂などの軟質材料を用いることができる。
【００２５】
（支持部）
支持部２３は、レンズ部２２の外周部から外側に延出する状態で形成されている。支持部２３は、眼内レンズ２１を眼内に挿入したときにレンズ部２２を支持するものである。支持部２３は、一つの眼内レンズ２１に２つ形成されている。各々の支持部２３は、レンズ部２２の中心Ｃを通る軸線（図中、一点鎖線で示す）がレンズ部２２の外周部に交差する部分から、それぞれ図の反時計回り方向に円弧を描くように延出している。各々の支持部２３は、以下のような共通の構造を有している。
【００２６】
支持部２３は、レンズ部２２の外周部から外側に腕状に延出している。支持部２３は、可撓部２４と固定部２５とに分かれている。具体的には、支持部２３の主たる部分は可撓部２４で構成され、これを除く先端部分が固定部２５で構成されている。支持部２３の外側の面は、可撓部２４から固定部２５にかけて滑らかに連続した円弧を描いている。また、支持部２３の先端側には孔部２６が形成されている。可撓部２４と固定部２５とは、レンズ部２２の中心Ｃから半径Ｒの円弧線を描いたときに、当該円弧線を境界線として区分されている。すなわち、半径Ｒの円弧線よりも内側の部分を可撓部２４とし、半径Ｒの円弧線よりも外側の部分を固定部２５として、それらが一体的に形成されている。
【００２７】
可撓部２４は、レンズ部２２の径方向に弾性変形可能な構成になっている。可撓部２４は、全体的に細長く延びていて、これを構成する材料自体も適度な柔軟性をもっている。具体的には、可撓部２４は、前述したレンズ部２２と同じ軟質材料によって構成されている。このため、固定部２５を通してレンズ部２２の中心Ｃに向かう外力を受けると、この外力にしたがって可撓部２４がレンズ部２２に近づく方向に弾性変形し得る構成となっている。可撓部２４は、その根元部分が山裾状に幅広に形成され、最も幅広の部分でレンズ部２２につながっている。また、可撓部２４は、上記幅広の根元部分から斜め外向きに円弧を描くように細長く延出している。可撓部２４の先端部分（根元部分と反対側の部分）は少し幅広に形成されている。
【００２８】
固定部２５は、前述したレンズ部２２および可撓部２４とは硬さの異なる材料によって構成されている。具体的には、可撓部２４よりも硬い硬質材料によって固定部２５が構成されている。固定部２５に適用する硬質材料としては、当該固定部２５に縫合糸を縛りつける場合に、多少強く縛りつけてもその部分がちぎれない程度の強度を保証できるものであればよい。具体的には、例えば、ＰＭＭＡ（ポリメチルメタクリレート）などの硬質の樹脂材料を用いることができる。固定部２５の末端部は、眼球の組織に接触してもこれにダメージを与えないように、耳たぶ状に丸みを帯びている。また、支持部２３を構成する可撓部２４と固定部２５は、それぞれの部位の材料が異なるだけで、構造的には一体化されている。
【００２９】
ここで、眼内レンズの支持部を縫合糸で眼内へ固定する際の好適な支持部２３の構成について説明する。
【００３０】
たとえば、眼内レンズ２１を毛様体溝に収容する場合は、レンズ部２２から延出する２つの支持部２３の先端部分（固定部２５）を、可撓部２４の弾性変形に伴う反力を利用して毛様体溝に押し当てることにより、レンズ部２２を適正な位置に保持する。一般に、成人の毛様体溝の平均的な直径は１１ｍｍであるため、眼内レンズの長径Ｄ０はこれよりも大きくなるように、例えば１３ｍｍに設定されている。
【００３１】
眼内レンズ２１を毛様体溝に収容した状態では、各々の支持部２３の可撓部２４がレンズ部２２に近づく方向に弾性変形する。このときの状態を模式的に表すと、図７に示すように、各々の支持部２３の最外部に位置する固定部２５の一部が直径Ｄ１（成人の毛様体溝の平均的な直径に相当する）の第１仮想円Ｖｃ１に接することとなる。
【００３２】
また、上述のように可撓部２４をレンズ部２２に近づく方向に弾性変形させて、支持部２３の最外部を第１仮想円Ｖｃ１に接するように配置した場合、固定部２５の端部２５ａは、第１仮想円Ｖｃ１とそれよりも小径の第２仮想円Ｖｃ２との間に位置するものとなっている。ここで記述する固定部２５の端部２５ａとは、支持部２３の延出方向において、この支持部２３の根元に最も近い固定部２５の端部（可撓部２４との境界部）をいう。また、第２仮想円Ｖｃ２とは、レンズ部２２の中心Ｃから直径Ｄ２の真円であって、その直径Ｄ２が上記第１仮想円Ｖｃ１の直径Ｄ１よりも１．０ｍｍ（より好ましくは、０．５ｍｍ）小さい円をいう。
【００３３】
上記構成からなる支持部２３を備えることにより、次のような効果が得られる。
まず、実際に毛様体溝に眼内レンズ２１を収納して使用する場合の比較例として、上述したように可撓部２４を弾性変形させたときに、固定部２５の端部２５ａが、第２仮想円Ｖｃ２よりも内側（小径側）に位置する構成になっているとする。この比較例の構成を採用した場合は、支持部２３の縫着に際して、次のような不具合が生じる。すなわち、支持部２３の孔部２６に縫合糸を巻き付けて固定する場合に、縫合糸の締め付けに伴う引っ張り力を受けて、上述した固定部２５の端部２５ａが外側（大径側）に引っ張られる。そうすると、固定部２５の端部２５ａは、上述した引っ張り力を受けて第１仮想円Ｖｃ１に接する位置までずれる。このとき、固定部２５の端部２５ａが第２仮想円Ｖｃ２よりも内側に位置すると、固定部２５の端部２５ａの位置ずれ量は、第１仮想円Ｖｃ１と第２仮想円Ｖｃ２の直径差（Ｄ１−Ｄ２）の１／２（０．５ｍｍ）超となる。そうすると、固定部２５の端部２５ａの位置ずれにしたがって可撓部２４も外側に引っ張られる。その結果、支持部２３の根元部分に余計な力が加わり、レンズ部２２が適正な位置からずれてしまう。
【００３４】
これに対して、上述したように可撓部２４を弾性変形させたときに、固定部２５の端部２５ａが、第１仮想円Ｖｃ１と第２仮想円Ｖｃ２の間に位置する構成になっていると、上述した縫合糸の締め付けに伴う引っ張り力が作用しても、この引っ張り力に伴う固定部２５の端部２５ａの位置ずれ量が小さく抑えられる。具体的には、第１仮想円Ｖｃ１と第２仮想円Ｖｃ２の直径差（Ｄ１−Ｄ２）が１．０ｍｍ（より好ましくは、０．５ｍｍ）であるため、固定部２５の端部２５ａの位置ずれ量は、０．５ｍｍ以下（より好ましくは、０．２５ｍｍ）に抑えられる。そうすると、かりに固定部２５の端部２５ａの位置ずれにしたがって可撓部２４が外側に引っ張られたとしても、支持部２３の根元部分に加わる力は軽微なものとなる。その理由は、上記の比較例にくらべると、固定部２５の端部２５ａの位置ずれ量が小さくなるほか、可撓部２４の長さが長くなって、引っ張りの影響を可撓部２４の弾性変形によって十分に吸収可能になるためである。その結果、眼内の適正な位置にレンズ部２１を安定的に支持することが可能となる。
【００３５】
孔部２６は、支持部２３を眼球に固定するときに用いる縫合糸の巻き付けを許容し、かつ巻き付けた縫合糸の位置ずれを防止する係止部に相当するものである。孔部２６は、可撓部２４と固定部２５との境界に設けられている。また、孔部２６は、可撓部２４と固定部２５との境界において、上述した半径Ｒの円弧線を一部分断するように形成されている。つまり、孔部２６は、可撓部２４と固定部２５とに跨るように形成されている。孔部２６は、支持部２３の延出端側において、この支持部２３の厚み方向に貫通する状態で形成されている。また、孔部２６は、レンズ部２２の中心Ｃを通る、上記とは異なる軸線（図中、二点鎖線で示す）上に中心をもつ円形の貫通孔として形成されている。また、係止部としての孔部２６は、縫合糸を用いないで眼内レンズ２１を水晶体嚢に収容する場合には、当該嚢内での眼内レンズの位置決め操作のための引っ掛け部として使用することができる。具体的な位置決め操作の仕方は後段で記述する。
【００３６】
（眼内レンズの製造方法）
続いて、本発明の第１の実施の形態に係る眼内レンズの製造方法について説明する。眼内レンズの製造方法は、主に３つの工程に分けて考えることができる。以下、工程の流れにしたがって説明する。
【００３７】
（第１工程）
まず、図３（Ａ）に示すように、公知の成形方法により、例えばＰＭＭＡ（硬質材料）を用いて、円環形状の硬質材料部１００を得る。硬質材料部１００の中心には円孔１１０をあけておく。
【００３８】
次に、図３（Ｂ）に示すように、硬質材料部１００の円孔１１０内に、例えば重合後に軟質アクリル（軟質材料）となる原料液２００を注入して重合を完了させる。これにより、平面視円形の軟質材料部２５０が硬質材料部１００の内側に形成される。その結果、硬質材料部１００と軟質材料部２５０とを一体化した構造のレンズ素材３００が得られる。
【００３９】
（第２工程）
次に、図３（Ｃ）に示すように、レンズ素材３００の面形状を上記レンズ部２２および支持部２３の面形状に合わせて整える。具体的には、レンズ素材３００の表裏面に精密旋盤装置を用いて面形成加工を施すことにより、レンズ部２２の凸状の曲面と支持部２３の根元部分の斜面とそれ以外の平坦面に合わせて、レンズ素材３００の面形状を整える。これにより、眼内レンズの表裏面形状を反映した円板状の中間部材（レンズ素材の加工品）３５０が得られる。
【００４０】
（第３工程）
次に、中間部材３５０の外形を上記レンズ部２２および支持部２３の外形に合わせて整える。具体的には、中間部材３５０にミーリング加工等の外形加工を施すことにより、眼内レンズ２１として不要な部分を中間部材３５０から取り除く。このとき、支持部２３の先端側に孔部２６を形成しておく。その後、必要な箇所に研磨加工を施す。
【００４１】
（眼内レンズの使用方法）
次に、本発明の第１の実施の形態に係る眼内レンズの使用方法について説明する。眼内レンズ２１の使用の形態は２つある。一つは、眼内レンズ２１を非縫着タイプとして使用する場合である。もう一つは、眼内レンズ２１を縫着タイプとして使用する場合である。以下、タイプごとに眼内レンズ２１の使用方法を説明する。
【００４２】
まず、眼内レンズ２１を非縫着タイプとして使用する場合の一例について説明する。
眼内レンズ２１を眼内に挿入するにあたっては、それに先立って眼球の表面に創口を形成し、この創口を通して水晶体（水晶体皮質、水晶体核）を摘出しておく。これにより、眼内には空になった水晶体嚢が残るため、この水晶体嚢に以下の手順で眼内レンズ２１を挿入する。
【００４３】
まず、眼内レンズ２１を小さく折り畳む。このとき、２つの支持部２３が互いに重ならないように、レンズ部２２を二つ折りするかたちで、眼内レンズ２１を折り畳む。この折り畳みを考慮して、レンズ部２２全体を軟質材料によって構成してある。
【００４４】
次に、眼内レンズ２１を折り畳んだまま、これをインジェクター（不図示）に挿入する。インジェクターは、眼内レンズ２１を眼内に挿入するために使用する手術器具である。
【００４５】
次に、眼内レンズ２１が装着されたインジェクターの先端部を眼球の創口に臨ませ、その状態でインジェクターから眼内レンズ２１を押し出すことにより、創口を通して眼内レンズ２１を眼内（水晶体嚢）に挿入する。
【００４６】
こうして眼内に挿入された眼内レンズ２１は、時間の経過とともに元の形状に展開する。このとき、水晶体嚢に収容された眼内レンズ２１の位置が不適切な場合は、前述した位置決め操作として、例えば、手術用のフック等を孔部２６（係止部）に引っ掛けて、眼内レンズ２１の位置を調整する。眼内レンズ２１が元の形状に展開した状態では、レンズ部２２から延びる各支持部２３の固定部２５が水晶体嚢に適度な圧力で接触し、この接触圧を利用してレンズ部２２が適正な位置に支持される。
以上が、非縫着タイプとして眼内レンズ２１を使用する場合の説明である。
【００４７】
次に、眼内レンズ２１を縫着タイプとして使用する場合について説明する。
まず、水晶体の摘出と創口の形成は、非縫着タイプの場合と同様に行われる。
【００４８】
次に、縫着に用いる縫合糸を２箇所（２方向）から眼内に挿入するとともに、各々の縫合糸を創口から眼球の外に引き出す。
【００４９】
次に、レンズ部２２から延びる２つの支持部２３のうち、一方の支持部２３に対して一方の縫合糸を縛りつける。このとき、支持部２３の先端側に設けた孔部２６に縫合糸を通し、かつ当該縫合糸を固定部２５に巻き付けるかたちで、支持部２３に縫合糸を縛りつける。具体的には、カウヒッチと呼ばれる結び方で縫合糸を縛りつけるとよい。
【００５０】
次に、眼内レンズ２１を折り畳んで小さくし、その状態を維持しながら、先に縫合糸を縛りつけた方の支持部２３を奥側、まだ縫合糸を縛りつけていない方の支持部２３を手前側にして、眼球の創口から眼内レンズ２１を挿入する。このとき、眼内レンズ２１を眼内に完全に挿入せずに、縫合糸を縛りつけていない方の支持部２３を創口の外側に出しておく。
【００５１】
次に、上述のように創口の外側に出しておいた支持部２３に上記同様の手法で縫合糸を縛りつけた後、鑷子等を使って眼内レンズ２１全体を眼内に押し込む。
【００５２】
次に、２つの支持部２３につながっている２本の縫合糸を眼球の外側から軽く引っ張って眼内レンズ２１を元の形状に展開させる。その後、各々の縫合糸を眼球の所定部位（例えば、水晶体嚢、毛様体、強膜等）に縫合する。これにより、各々の支持部２３の固定部２５が眼球に固定され、その状態でレンズ部２２が適正な位置に支持される。
以上が、縫着タイプとして眼内レンズ２１を使用する場合の説明である。
【００５３】
（第１の実施の形態の効果）
本発明の第１の実施の形態に係る眼内レンズによれば、軟質材料からなるワンピースタイプの眼内レンズの利点を生かし、かつ眼内への縫着も可能となる。また、上述した支持部２３の構成を採用した場合は、眼内でのレンズの安定性をさらに向上させることができる。このような効果は、後述する他の実施の形態に係る眼内レンズでも同様に得られる。さらに、本発明の第１の実施の形態によれば、次のような効果も得られる。
【００５４】
すなわち、レンズ部２２を支持部２３で支持する眼内レンズ２１の構成として、軟質材料からなる可撓部２４と硬質材料からなる固定部２５とによって支持部２３を構成するとともに、支持部２３の先端側に設けた孔部２６を利用して縫合糸を固定部２５に固定可能な構成を採用している。このため、眼内レンズ２１を使用する場合は、縫着タイプ・非縫着タイプのどちらのタイプとしても適切に使用することが可能となる。具体的には、水晶体嚢が弱い患者や水晶体嚢が破れた患者には縫着タイプの眼内レンズとして使用し、それ以外の患者には非縫着タイプの眼内レンズとして使用するなど、患者の水晶体嚢の状態に応じて眼内レンズ２１を使い分けることができる。したがって、汎用性の高い眼内レンズを提供することが可能となる。
【００５５】
また、従来の縫着タイプの眼内レンズの場合は、レンズ全体が硬質材料で構成されているため、眼内レンズをそのまま挿入し得る大きさで創口を形成する必要がある。これに対して、本実施の形態に係る眼内レンズ２１の場合は、これを小さく折り畳んで挿入することができる。このため、従来の縫着タイプ（折り畳み不可）の眼内レンズと比較して、創口の大きさを小さくすることができる。したがって、水晶体嚢が弱い患者や水晶体嚢が破れた患者に対しても、低侵襲で白内障手術等を行うことが可能となる。
【００５６】
また、眼内レンズ２１を縫着タイプとして使用する場合は、硬質材料からなる固定部２５に縫合糸を巻き付けて固定することができる。このため、縫合糸を強く縛りつけても、支持部２３がちぎれるおそれがない。また、縫合糸を孔部２６に通して固定部２５に縛りつける構成になっているため、手術後に縫合糸の位置ずれが生じるおそれもない。したがって、眼内レンズ２１を眼内に挿入した後も、長期にわたってレンズ部２２を適正な位置に支持することができる。
【００５７】
＜３．第２の実施の形態＞
図４は本発明の第２の実施の形態に係る眼内レンズの構造を示すもので、（Ａ）は平面図、（Ｂ）は側面図である。第２の実施の形態に係る眼内レンズ２１は、上記第１の実施の形態と比較して、支持部２３の構成だけが異なる。すなわち、上記第１の実施の形態においては、支持部２３の先端側に孔部２６を設け、この孔部２６を利用して固定部２５に縫合糸を固定し得る構成になっている。これに対して、第２の実施の形態においては、支持部２３の先端側に溝部２７を設け、この溝部２７を利用して固定部２５に縫合糸を固定し得る構成になっている。
【００５８】
溝部２７は、上述した係止部に相当するものであって、可撓部２４と固定部２５との境界に設けられている。また、溝部２７は、可撓部２４と固定部２５との境界において、固定部２５の一部を平面視略Ｕ字形に切り欠くように形成されている。そして、支持部２３に縫合糸を縛りつける際には、溝部２７の形成によって細くなった部分に縫合糸を巻き付けて固定し得るようになっている。
【００５９】
なお、第２の実施の形態に係る眼内レンズの変形例として、図５に示すように、第１の溝部２７に加えて、厚み方向に凹状にへこむ第２の溝部２８を形成してもよい。この構成を採用した場合は、支持部２３に縫合糸を縛りつけるときに、２つの溝部２７，２８を利用して縫合糸を固定部２５に巻き付けて固定することができる。
【００６０】
＜４．第３の実施の形態＞
図６は本発明の第３の実施の形態に係る眼内レンズの構造を示すもので、（Ａ）は平面図、（Ｂ）は側面図である。第３の実施の形態に係る眼内レンズ２１は、上記第１の実施の形態と比較して、支持部２３の構成だけが異なる。すなわち、上記第１の実施の形態においては、支持部２３の先端側に孔部２６を設け、この孔部２６を利用して固定部２５に縫合糸を固定し得る構成になっている。これに対して、第３の実施の形態においては、支持部２３の先端側に２つの小孔部２９を設け、これらの小孔部２９を利用して固定部２５に縫合糸を巻き付けて固定し得る構成になっている。
【００６１】
２つの小孔部２９は、上述した係止部に相当するものであって、互いに近接する位置関係で固定部２５に設けられている。また、２つの小孔部２９は、支持部２３の延出方向に位置をずらすかたちで一列に並べて設けられている。各々の小孔部２９は、支持部２３の延出方向と交差する方向（図例ではレンズ部２２の径方向に沿う方向）に貫通する状態で設けられている。小孔部２９の一方の開口はレンズ部２２側を向いて配置され、同他方の開口は外向きに配置されている。そして、支持部２３に縫合糸を縛りつける場合は、前述したカウヒッチの結び方ではなく、２つの小孔部２９に縫合糸を順に通すようにして固定部２５に縫合糸を巻き付け、固定し得るようになっている。
【００６２】
上記第２、第３の実施の形態に係る眼内レンズ２１においても、軟質材料からなる可撓部２４と硬質材料からなる固定部２５とによって支持部２３を構成し、かつ支持部２３の先端側に設けた溝部２７，２８や小孔部２９を利用して縫合糸を固定部２５に固定可能な構成を採用している。このため、上記第１の実施の形態と同様の効果が得られる。
【００６３】
＜５．第４の実施の形態＞
図８は本発明の第４の実施の形態に係る眼内レンズの構造を示すもので、（Ａ）は平面図、（Ｂ）は側面図である。第４の実施の形態に係る眼内レンズ２１は、上記第１の実施の形態と比較して、支持部２３の構成だけが異なる。すなわち、上記第１の実施の形態においては、支持部２３の先端側に孔部２６を設け、この孔部２６を利用して固定部２５に縫合糸を固定し得る構成になっている。これに対して、第４の実施の形態においては、支持部２３の先端側に、上記第１の実施の形態と同様の孔部２６に加えて、切り欠き部３１を設けた構成になっている。
【００６４】
切り欠き部３１は、支持部２３の延出方向において孔部２６よりも支持部２３の根元に近い側で、かつレンズ部２２に対向する側に設けられている。また、切り欠き部３１は、可撓部２４の一部を略Ｕ字形に切り欠いた状態で形成されている。このような切り欠き部３１を支持部２３に設けた場合は、当該切り欠き部３１を設けない場合にくらべて、可撓部２４がより柔軟に変形するようになる。このため、上述した毛様体溝に眼内レンズ２１を収容して使用する場合に、この毛様体溝の孔形状に沿って支持部２３全体を無理なく自然に曲げることができる。
【００６５】
さらに、支持部２３の孔部２６に縫合糸を巻き付ける場合に、切り欠き部３１の存在によって次のような効果が得られる。すなわち、図９（Ａ）〜（Ｄ）に示すように、二重にした縫合糸３２の端を孔部２６に通してループ状に引き出した後、支持部２３の先端部をループ部分にくぐらせて孔部２６に縫合糸３２を縛りつける場合に、縫合糸３２のループ部分を切り欠き部３１に巻き付けて固定することができる。このため、支持部２３に切り欠き部３１を設けない場合にくらべて、縫合糸３２の位置が安定したものとなる。
【００６６】
＜６．変形例等＞
なお、本発明の技術的範囲は上述した実施の形態に限定されるものではなく、発明の構成要件やその組み合わせによって得られる特定の効果を導き出せる範囲において、種々の変更や改良を加えた形態も含む。
【００６７】
たとえば、眼内レンズ２１が備える支持部２３の個数は２つに限らず、３つ以上であってもよい。また、複数の支持部２３を備える場合に、そのうちの一つだけに上記実施の形態と同様の構成（可撓部２４と固定部２５からなる構成）を採用してもよい。
【００６８】
また、上記図６に例示する眼内レンズ２１では、一つの支持部２３（固定部２５）につき、小孔部２９を２つずつ設けているが、これに限らず、１つだけ設けてもよいし、３つ以上設けてもよい。また、１つの支持部２３に小孔部２９を３つ以上設けた場合は、そのうちの一つの小孔部２９を利用して縫合糸を縛りつけてもよいし、相互に隣り合う２つの小孔部２９を利用して縫合糸を縛りつけてもよい。
【００６９】
また、レンズ部２２を支持する支持部２３の形態としては、前述したように一端部だけがレンズ部２２につながる形態に限らず、両端部がレンズ部２２につながるように閉ループを形成し、その中間部を固定部２５とした形態であってもよい。
【符号の説明】
【００７０】
１…眼球、８…水晶体、２１…眼内レンズ、２２…レンズ部、２３…支持部、２４…可撓部、２５…固定部、２６…孔部、２７，２８…溝部、２９…小孔部、３１…切り欠き部
【図１】
2013022273.tif 000003
【図２】
2013022273.tif 000004
【図３】
2013022273.tif 000005
【図４】
2013022273.tif 000006
【図５】
2013022273.tif 000007
【図６】
2013022273.tif 000008
【図７】
2013022273.tif 000009
【図８】
2013022273.tif 000010
【図９】
2013022273.tif 000011